(57)【要約】      （修正有）【課題】梱包形態から陳列ケース形態へ簡便に変形させることができ、かつ高い強度を有する段ボール箱を提供する。【解決手段】対向する天面板及び底面板並びに対向する一対の側壁を有する四角筒状部と、上記天面板の各端縁から延出する一対の上側外フラップと、上記底面板の各端縁から延出する一対の下側外フラップと、上記各側壁の各端縁から延出する二対の内フラップとを備える段ボール箱であって、一方の上記上側外フラップの先端縁上に始点、他方の上側外フラップの先端縁上に終点を有し、上記側壁と略平行に形成される２本の第一破断誘導線１０と、上記天面板の側縁上に形成される２本の第二破断誘導線１１と、上記２本の第一破断誘導線に挟まれる部分よりも外側の上記天面板の端縁上に形成される４本の第三破断誘導線１２とを備えることを特徴とする。【選択図】図１
0003176475.tif 000002
【実用新案登録請求の範囲】
【請求項１】
対向する天面板及び底面板並びに対向する一対の側壁を有する四角筒状部と、
上記天面板の各端縁から延出する一対の上側外フラップと、
上記底面板の各端縁から延出する一対の下側外フラップと、
上記各側壁の各端縁から延出する二対の内フラップと
を備える段ボール箱であって、
一方の上記上側外フラップの先端縁上に始点、他方の上側外フラップの先端縁上に終点を有し、上記側壁と略平行に形成される２本の第一破断誘導線と、
上記天面板の側縁上に形成される２本の第二破断誘導線と、
上記２本の第一破断誘導線に挟まれる部分よりも外側の上記天面板の端縁上に形成される４本の第三破断誘導線と
を備えることを特徴とする段ボール箱。
【請求項２】
上記第一破断誘導線が上記内フラップに重ならない請求項１に記載の段ボール箱。
【請求項３】
一方の上記第一破断誘導線と一方の上記側壁との距離と、他方の上記第一破断誘導線と他方の上記側壁との距離とが略等しい請求項１又は請求項２に記載の段ボール箱。
【請求項４】
上記第一破断誘導線が、ミシン目加工及びハーフカット加工がされている易破断部分とミシン目加工のみがされている通常破断部分とからなる請求項１、請求項２又は請求項３に記載の段ボール箱。
【請求項５】
上記通常破断部分が、上記天面板の対角線上付近に形成されている請求項４に記載の段ボール箱。
【請求項６】
上記上側外フラップ及び下側外フラップが略方形で、上側外フラップ又は下側外フラップの一方の端縁の中央部に切欠部を有する請求項１から請求項５までのいずれか１項に記載の段ボール箱。
【考案の詳細な説明】
【技術分野】
【０００１】
本考案は、段ボール箱に関する。
【背景技術】
【０００２】
商品輸送用の段ボール箱は、商品の輸送から陳列までの間、複数の商品をまとめて収容する容器として用いられる。このような商品を収容する段ボール箱には、ＪＩＳ−Ｚ１５０７のコード番号０４１０に分類されるいわゆるラップラウンド型段ボール箱がある。このラップラウンド型段ボール箱は、段ボール箱の組み立てと製品の梱包とを同時に行うことができるため商品輸送用によく用いられている。
【０００３】
商品輸送用の段ボール箱は輸送後に開封され、梱包されていた商品が段ボール箱から取り出される。取り出された商品は陳列用の棚やケースに陳列され、販売に供される。この段ボール箱からの商品の取り出し及び棚やケースへの陳列からなる商品陳列作業を簡便にするために、商品を梱包した段ボール箱をそのまま陳列用のケースとして用いることができるラップラウンド型段ボール箱が発案されている（特開平１０−５３２４２号公報参照）。この段ボール箱は、筒状部を形成する糊代部分を引き剥がすことによって、商品が梱包された梱包形態から商品が陳列された陳列ケース形態へ変形するものである。
【０００４】
しかしながら、上記ラップラウンド型段ボール箱においては、梱包形態から陳列ケース形態へと変形させる際に糊代部分を引き剥がす必要があることから、糊代部分の接着強度を低くする必要がある。そのため、段ボール箱の強度が低下し、重量物の梱包や商品を梱包した段ボール箱の積み重ね等に制限が生じる。一方で、段ボール箱の強度を保つために接着強度を十分に持たせると、糊代部分の引き剥がしが困難となるため、開封作業が容易ではなくなる。
【先行技術文献】
【特許文献】
【０００５】
【特許文献１】特開平１０−５３２４２号公報
【考案の概要】
【考案が解決しようとする課題】
【０００６】
本考案はこれらの不都合に鑑みてなされたものであり、梱包形態から陳列ケース形態へ簡便に変形させることができ、かつ高い強度を有する段ボール箱の提供を目的とする。
【課題を解決するための手段】
【０００７】
上記課題を解決するためになされた考案は、
対向する天面板及び底面板並びに対向する一対の側壁を有する四角筒状部と、
上記天面板の各端縁から延出する一対の上側外フラップと、
上記底面板の各端縁から延出する一対の下側外フラップと、
上記各側壁の各端縁から延出する二対の内フラップと
を備える段ボール箱であって、
一方の上記上側外フラップの先端縁上に始点、他方の上側外フラップの先端縁上に終点を有し、上記側壁と略平行に形成される２本の第一破断誘導線と、
上記天面板の側縁上に形成される２本の第二破断誘導線と、
上記２本の第一破断誘導線に挟まれる部分よりも外側の上記天面板の端縁上に形成される４本の第三破断誘導線と
を備えることを特徴とする。
【０００８】
当該段ボール箱は、一方の上側外フラップから他方の上側外フラップまで到達する２本の第一破断誘導線で挟まれた第一切離可能域と、この第一破断誘導線と上記第二破断誘導線と上記第三破断誘導線とで囲まれた２つの第二切離可能域とを有する。当該段ボール箱の天面板は第一切離可能域の一部と、２つの第二切離可能域から構成される。そのため、破断線を破断して第一切離可能域及び第二切離可能域を段ボール箱本体から切離することで、当該段ボール箱を梱包形態から天面板が開放された陳列ケース形態へ容易かつ確実に変形させることができる。また、当該段ボール箱は、陳列ケース形態において側壁及び下側外フラップが梱包形態と同じ状態で商品を囲繞しているため、開封後の商品の落下や位置ずれ等を防止することができる。
【０００９】
さらに、当該段ボール箱は、上記破断誘導線を有する点以外は通常使用されるラップラウンド型段ボール箱と同様の構造を有し、開封用のティアテープ等を備える必要がない。そのため、当該段ボール箱を形成する段ボールシートの加工が容易であり、かつ製造コストに優れる。また、通常のラップラウンド型段ボール箱と同等の強度を維持することができる。
【００１０】
上記第一破断誘導線が上記内フラップに重ならないとよい。このように第一破断誘導線が内フラップに重ならない、つまり、第一破断誘導線で挟まれた第一切離可能域が内フラップに重ならないようにすることによって、商品梱包時（段ボール箱組立時）に上側外フラップの全面を内フラップと接着させることができる。そのため、当該段ボール箱の強度を向上させることができる。
【００１１】
一方の上記第一破断誘導線と一方の上記側壁との距離と、他方の上記第一破断誘導線と他方の上記側壁との距離とが略等しいとよい。このように２本の第一破断誘導線の側壁からの距離を略等しくすることによって、第一破断誘導線で挟まれた第一切離可能域が当該段ボール箱の重心上を通り、かつ、第一切離可能域が左右（破断方向と垂直な方向）に対称な形状となるため、安定して第一切離可能域を切離することができる。結果として、当該段ボール箱の開封作業をさらに容易かつ確実にすることができる。
【００１２】
上記第一破断誘導線が、ミシン目加工及びハーフカット加工がされている易破断部分とミシン目加工のみがされている通常破断部分とからなるとよい。このように第一破断誘導線の一部をハーフカット加工することで、当該段ボール箱の強度を一定としたまま、第一破断誘導線の破断を容易にすることができる。結果として、当該段ボール箱の開封作業をさらに容易かつ確実にすることができる。
【００１３】
上記通常破断部分が、上記天面板の対角線上付近に形成されているとよい。このように天面板の対角線上を通常破断部分としてハーフカット加工を行わないことによって、天面板の対角線近傍域の強度の低下が防止されるため、天面板の耐圧を維持することができる。その結果、第一破断誘導線の破断を容易にしつつ、当該段ボール箱の強度を維持することができる。
【００１４】
上記上側外フラップ及び下側外フラップが略方形で、上側外フラップ又は下側外フラップの一方の端縁の中央部に切欠部を有するとよい。このように外フラップを略方形とすることで、外フラップと内フラップとを接着する面積が最大になるため、当該段ボール箱の強度を向上させることができる。また、いずれかの外フラップの一方の端縁に切欠部を形成することによって、上記第一切離可能域の切離をさらに容易かつ確実にすることができる。
【００１５】
なお、「上側外フラップの先端縁」とは、上側外フラップの天面板と接続される端縁と反対側の端縁を意味する。また、「破断誘導線」とは、所定の形状に沿って破断されるように切れ目が設けられた線をいい、例えば、ミシン目状の線（切断されている部分とされていない部分が交互に繰り返される線）等を挙げることができる。また、「ハーフカット加工」とは、層状構造段ボールシートにおいてライナや中芯などの一部の層のみを切断する加工をいう。
【考案の効果】
【００１６】
以上説明したように、本考案の段ボール箱は、梱包形態から陳列ケース形態へ簡便に変形させることができ、かつ高い強度を有する。
【図面の簡単な説明】
【００１７】
【図１】本考案の一実施形態に係る段ボール箱を示す展開図である。
【図２】図１の段ボール箱の梱包形態を示す斜視図である。
【図３】図１の段ボール箱の陳列ケース形態を示す斜視図である。
【図４】図１の段ボール箱の変形手順を示す第一の参考図である。
【図５】図１の段ボール箱の変形手順を示す第二の参考図である。
【図６】図１の段ボール箱の変形手順を示す第三の参考図である。
【考案を実施するための形態】
【００１８】
以下、適宜図面を参照しつつ、本考案の実施形態を詳説する。
【００１９】
図１及び図２の段ボール箱１は、対向する天面板２及び底面板３並びに対向する左右一対の側壁４ａ、４ｂを有する四角筒状部と、上記天面板２の各端縁から延出する上側外フラップ５と、上記底面板３の各端縁から延出する下側外フラップ６と、上記各側壁４ａ、４ｂの各端縁から延出する二対の内フラップ７とを備えている。
【００２０】
この段ボール箱１は、封緘状態で直方体形状に形成され、均一な厚さの一枚の段ボールシートを用いて形成される。当該段ボール箱１のサイズとしては特に限定されず、内容物である商品の大きさ等を考慮して適宜設定される。なお、図１の段ボール箱１の展開図中の細線は折り目を示しており、これらの折り目には折り曲げを容易にする罫線加工が施されていることが好ましい。
【００２１】
天面板２及び底面板３は、同型及び同サイズの矩形形状を有している。一対の側壁４ａ、４ｂも同型及び同サイズの矩形形状を有している。また、天面板２、底面板３及び一対の側壁４ａ、４ｂは一方向の長さが等しく、これらの面壁によって直方体形状を有する四角筒状部が形成される。
【００２２】
上記天面板２は、一方の側縁に側壁４ａが接続され、この側壁４ａが接続された側と反対側の側縁に糊代部８が接続されている。また、上記底面板３の側縁には、側壁４ａ、４ｂが接続されている。当該段ボール箱１は、底面板３のみに接続されている側壁４ｂと天面板２とが接するように、糊代部８を底面板３のみに接続された側壁４ｂの内面又は外面に接着させることにより、四角筒状部を筒状に固定することができる。
【００２３】
当該段ボール箱１は、四角筒状部を形成した後、４つの内フラップ７を四角筒状部の内側に向かって略直角に折り込み、２つの上側外フラップ５及び２つの下側外フラップ６を内フラップ７に重なるようにそれぞれ四角筒状部の内側に向かって略直角に折り込むことで、２つの対面する側面部を形成することができる。この際、上側外フラップ５及び下側外フラップ６の内面を内フラップ７の外面に接着剤等で接着することによって、側面部が固定され、当該段ボール箱１の梱包状態が完成する。
【００２４】
上記各フラップは略方形に形成されている。また、上側外フラップ５及び下側外フラップ６の高さ（箱状態における上下方向長さ）は、内フラップ７の幅（箱状態における横方向長さ）の略半分であり、箱状態において上側外フラップ５の端縁と下側外フラップ６の端縁とを突き合わせて略隙間が生じないようにこれらのフラップは固定される。
【００２５】
当該段ボール箱１で商品Ｘを梱包する手順は、例えば、次のようにすることができる。まず、展開状態で底面板３の上に梱包する商品Ｘを載置し、天面板２、底面板３、及び側壁４ａ、４ｂの各接続辺を折り曲げ、糊代部８を底面板３のみに接続された側壁４ｂに接着して商品を囲繞する四角筒状部を形成する。次に、上側外フラップ５、下側外フラップ６及び内フラップ７を上述したように折り込んで側面部を形成することによって、当該段ボール箱１による商品の梱包が完成する。
【００２６】
段ボール箱１を形成する段ボールシートとしては、強度の高さ及び加工成形の容易さの観点から、波形に形成された中芯、この中芯の表面側に積層される表ライナ及び裏面側に積層される裏ライナを備える両面段ボールが用いられている。
【００２７】
当該段ボール箱１は、一方の上側外フラップ５の先端縁（箱状態において下側に位置する端縁）から他方の上側外フラップ５の先端縁までを結ぶ２本の第一破断誘導線１０を備えている。この第一破断誘導線１０は、展開状態において天面板２の側縁と略平行であり、箱状態において側壁４ａ、４ｂと略平行である。
【００２８】
第一破断誘導線１０は、箱状態において内フラップ７と重ならないように、内フラップ７の端縁よりも若干中央側を通るように形成されている。そのため、２本の第一破断誘導線１０に挟まれる第一切離可能域１３は、内フラップ７と重なる部分を有さず、内フラップ７と接着されない。
【００２９】
当該段ボール箱１においては、一方の第一破断誘導線１０とこれに近接する側壁４ａとの距離と、他方の第一破断誘導線１０とこれに近接する側壁４ｂとの距離とが略等しい。つまり、２本の第一破断誘導線１０は、天面板２の重心からの距離が略等しくなるように形成されている。
【００３０】
第一破断誘導線１０と第一破断誘導線１０に近接する側壁４ａ又は４ｂとの距離としては、天面板２の端縁の長さ（側壁間の距離）をＬとした場合に、０．１５Ｌ以上０．３Ｌ以下が好ましい。第一破断誘導線１０の近接する側壁４ａ又は４ｂからの距離が上記範囲未満の場合、内フラップ７と第一破断誘導線１０とが重なり、第一切離可能域１３の一部が内フラップ７に接着されて開封作業が容易でなくなるおそれがある。また、第一切離可能域１３の切離後の上側外フラップ５の残存部分が小さくなって、当該段ボール箱１の開封後における商品の保持性能が低下するおそれがある。逆に、第一破断誘導線１０の近接する側壁４ａ又は４ｂからの距離が上記範囲を超える場合、第一切離可能域１３の幅が小さくなるため、第一切離可能域１３の切離中に第一切離可能域１３が破断して開封作業が容易に行えなくなるおそれがある。
【００３１】
第一破断誘導線１０は、ミシン目加工及びハーフカット加工がされている易破断部分１０ａとミシン目加工のみがされている通常破断部分１０ｂとからなる。具体的には、ミシン目加工とは、段ボールシートの表面から裏面に貫通した切断部（ミシン目）を一定の間隔で形成するものであり、ハーフカット加工とは、段ボールシートを構成するライナの一方をカットするものである。易破断部分１０ａは、ミシン目を形成し、このミシン目を繋ぐように表面又は裏面どちらかのライナをカットして形成されている。
【００３２】
第一破断誘導線１０においては、図１に示すように、天面板２の対角線と第一破断誘導線１０との交点付近の部分と、上側外フラップ５上に位置する部分が通常破断部分１０ｂとなっている。そしてこの通常破断部分１０ｂを除いた残りの部分は、易破断部分１０ａとなっている。天面板２の対角線と第一破断誘導線１０との交点付近の部分における通常破断部分１０ｂの長さとしては、例えば天面板２の側縁の長さ（上側外フラップ５間の距離）をＷとした場合に、０．０５Ｗ以上０．１０Ｗ以下が好ましい。通常破断部分１０ｂの長さが上記範囲未満の場合、天面板２上において易破断部分１０ａの占める割合が大きくなるため、天面板２の強度が低下するおそれがある。逆に、通常破断部分１０ｂの長さが上記範囲を超える場合、第一破断誘導線１０の破断の容易化が十分達成できないおそれがある。
【００３３】
また、当該段ボール箱１は、天面板２の側縁上に形成される２本の第二破断誘導線１１を備えている。この第二破断誘導線１１は、天面板２と側壁４ａ、４ｂとの接続辺及び天面板２と糊代部８との接続辺に一致し、梱包時の折り曲げ線と、開封時の破断誘導線とを兼ねている。
【００３４】
さらに、当該段ボール箱１は、天面板２の端縁上に部分的に形成される４本の第三破断誘導線１２を備えている。この第三破断誘導線１２は、天面板２において、２本の第一破断誘導線１０に挟まれる第一切離可能域１３よりも外側の端縁上に形成されている。このように、第三破断誘導線１２は、天面板２と上側外フラップ５との接続辺の両端部に形成されており、第三破断誘導線１２の長さは、第一破断誘導線１０と第一破断誘導線１０に近接する側壁４ａ又は４ｂとの距離に等しい。
【００３５】
当該段ボール箱１によれば、上述のように、２本の第一破断誘導線１０で挟まれた第一切離可能域１３と、第一破断誘導線１０と第二破断誘導線１１と２本の第三破断誘導線１２とで囲まれた２つの第二切離可能域１４とを有する。そのため、第一破断誘導線１０を破断して第一切離可能域１３を段ボール箱本体から切離し、その後左右２つの第二切離可能域１４を段ボール箱本体から切離することで、当該段ボール箱を図２に示す梱包形態から、図３に示す天面板２が開放された陳列ケース形態へ容易かつ確実に変形させることができる。
【００３６】
なお、当該段ボール箱１は、下側外フラップ６の端縁の中央に半円状の切欠部１５を有する。この切欠部１５は、指を挿入可能な大きさに形成されており、第一切離可能域１３の切離時に、ここに指を挿入して上側外フラップ５を把持することで第一切離可能域１３をより容易に切離させることができる。
【００３７】
上記切欠部１５の半径としては、１ｃｍ以上３ｃｍ以下が好ましい。切欠部１５の半径が上記範囲未満の場合、第一切離可能域１３を把持しにくくなるおそれがある。逆に、切欠部１５の半径が上記範囲を超える場合、当該段ボール箱１の強度が低下するおそれがある。
【００３８】
次に、当該段ボール箱１の使用方法について説明する。
【００３９】
当該段ボール箱１は、上述したように通常のラップラウンド型段ボール箱と同様の方法で商品を梱包できる。当該段ボール箱１は、第一破断誘導線１０、第二破断誘導線１１及び第三破断誘導線１２によって、梱包形態から陳列ケース形態へ、以下の手順で変形させることができる。
【００４０】
まず、切欠部１５に指を挿入して第一切離可能域１３を把持し、図４に示すように、第一切離可能域１３を当該段ボール箱１の上方に持ち上げるようにして、一方の上側外フラップ５から反対側の上側外フラップ５に向かって第一破断誘導線１０を破断していき、第一切離可能域１３を上側外フラップ５及び天面板２から切離する。第一切離可能域１３を切離した状態を図５に示す。次に、図６に示すように、２つの第二切離可能域１４をそれぞれ切離して、天面板２を取り除く。これにより、商品Ｘが取り出し可能な図３に示す陳列ケース形態へと変形することができる。
【００４１】
当該段ボール箱１は、上述の通り、第一切離可能域１３及び第二切離可能域１４を切離することで梱包形態から陳列ケース形態へ容易かつ確実に変形させることができる。また、当該段ボール箱１は、陳列ケース形態において側壁４ａ、４ｂ及び下側外フラップ６が梱包形態と同じ状態で商品を囲繞しているため、開封後の商品の落下や位置ずれ等を防止することができる。さらに、当該段ボール箱１は、図１の展開図に示すように、通常のラップラウンド型段ボールの一部（天面板２及び上側外フラップ５）に切込線を付与して得られるため、通常のラップラウンド型段ボール箱と同等の強度を維持することができる。さらに、当該段ボール箱１はティアテープ等を必要としないため製造コストにも優れる。
【００４２】
また、第一破断誘導線１０が適切な間隔で配置された易破断部分１０ａと通常破断部分１０ｂとからなるため、当該段ボール１は従来品と同等の強度を維持しながらも、開封作業をより容易に行うことができる。
【００４３】
なお、本考案の段ボール箱は上記実施形態に限定されるものではない。例えば、第三破断誘導線が易破断部分を有してもよい。第三破断誘導線の一部にハーフカット加工をすることによって、第二切離可能域の切離をより容易にすることができる。
【００４４】
また、切欠部は下側外フラップではなく、上側外フラップに形成されていてもよい。また、切欠部の代わりに破断誘導線で形成された半円状の押込部分を外フラップの端縁に設けてもよい。この押込部分は指で押すことによって破断誘導線で囲まれた部位が内側に押し込まれて外フラップに孔部が形成されるものであり、この孔部を把持することで第一切離可能域を切離することができる。
【産業上の利用可能性】
【００４５】
以上のように、本考案の段ボール箱は、梱包形態から陳列ケース形態へ簡便に変形させることができ、かつ高い強度を有する。そのため、商品の梱包兼陳列用段ボール箱として好適に用いることができる。
【符号の説明】
【００４６】
１  段ボール箱
２  天面板
３  底面板
４ａ、４ｂ  側壁
５  上側外フラップ
６  下側外フラップ
７  内フラップ
８  糊代部
１０  第一破断誘導線
１０ａ  易破断部分
１０ｂ  通常破断部分
１１  第二破断誘導線
１２  第三破断誘導線
１３  第一切離可能域
１４  第二切離可能域
１５  切欠部
Ｘ  商品
【図１】
0003176475.tif 000003
【図２】
0003176475.tif 000004
【図３】
0003176475.tif 000005
【図４】
0003176475.tif 000006
【図５】
0003176475.tif 000007
【図６】
0003176475.tif 000008